(57)【特許請求の範囲】
【請求項１】
カートンであって、
第１のサイドパネルと、
第２のサイドパネルと、
トップパネルと、
ボトムパネルと、
接着パネルと、
ハンドルパネル及び複数の接続パネルを含む前記トップパネルと、
前記トップパネルにおける複数の開口であって、前記複数の開口は、第１のハンドル開口と、第２のハンドル開口と、少なくとも一つの接続パネル開口とを備え、前記第１のハンドル開口及び前記第２のハンドル開口の各々は、前記ハンドルパネルに隣接して位置しており、前記少なくとも一つの接続パネル開口は、前記接続パネルの少なくとも二つに隣接して位置している、前記複数の開口と、
前記第１のサイドパネル、前記第２のサイドパネル、及び前記接着パネルのうちの少なくとも２つにおける複数の変形線と、
を備え、
前記カートンは、前記ハンドルパネルの持ち上げ時に前記変形線の少なくとも幾つかに沿って変形する、カートン。
【請求項２】
前記トップパネルの各端部は、横断方向折り線に沿って前記トップパネルに接続されているトップパネル端部フラップを含み、前記複数の変形線は、前記トップパネル端部フラップの各々における変形線を含む、請求項１に記載のカートン。
【請求項３】
前記少なくとも一つの接続パネル開口は、それぞれの横断方向折り線まで延在するがそれぞれの横断方向折り線を横切らない、請求項２に記載のカートン。
【請求項４】
前記少なくとも一つの接続パネル開口は、前記トップパネルからそれぞれの横断方向折り線を横切ってそれぞれのトップパネル端部フラップに延在する、請求項２に記載のカートン。
【請求項５】
前記第１のサイドパネル及び前記トップパネルは、第１の折り線に沿って接続されている、請求項１に記載のカートン。
【請求項６】
前記少なくとも一つの接続パネル開口は、前記第１の折り線まで延在するが前記第１の折り線を横切らない、請求項５に記載のカートン。
【請求項７】
前記少なくとも一つの接続パネル開口は、前記トップパネルから前記第１の折り線を横切って前記第１のサイドパネルに延在する、請求項５に記載のカートン。
【請求項８】
第１のサイドパネル端部フラップが、前記カートンの第１の端部において第１の横断方向折り線に沿って前記第１のサイドパネルに接続されており、前記第１のサイドパネル端部フラップは、前記カートンの前記第１の端部において前記カートンの内部空間内に第１の補強隅部を形成する隅部形成端部フラップを含み、第１のボトムパネル端部フラップが、前記第１の横断方向折り線に沿って前記ボトムパネルに折り曲げ可能に接続されており、前記第１のボトムパネル端部フラップは、前記第１の補強隅部から離間した第１の外側隅部を形成する、請求項１に記載のカートン。
【請求項９】
第２のサイドパネル端部フラップが、前記カートンの第２の端部において第２の横断方向折り線に沿って前記第１のサイドパネルに接続されており、前記第２のサイドパネル端部フラップは、前記カートンの第２の端部において前記カートンの前記内部空間内に第２の補強隅部を形成する隅部形成端部フラップを含み、前記第１のボトムパネル端部フラップは、前記第２の補強隅部から離間した第２の外側隅部を形成する、請求項８に記載のカートン。
【請求項１０】
第３のサイドパネル端部フラップが、前記カートンの前記第１の端部において前記第１の横断方向折り線に沿って前記第２のサイドパネルに接続されており、前記第３のサイドパネル端部フラップは、前記カートンの前記第１の端部において前記カートンの前記内部空間内に第３の補強隅部を形成する隅部形成端部フラップを含み、第２のボトムパネル端部フラップが、前記第２の横断方向折り線に沿って前記ボトムパネルに折り曲げ可能に接続されており、前記第２のボトムパネル端部フラップは、前記第３の補強隅部から離間した第３の外側隅部を形成する、請求項９に記載のカートン。
【請求項１１】
第４のサイドパネル端部フラップが、前記カートンの前記第２の端部において前記第２の横断方向折り線に沿って前記第２のサイドパネルに接続されており、前記第４のサイドパネル端部フラップは、前記カートンの前記第２の端部において前記カートンの前記内部空間内に第４の補強隅部を形成する隅部形成端部フラップを含み、前記第２のボトムパネル端部フラップは、前記第４の補強隅部から離間した第４の外側隅部を形成する、請求項１０に記載のカートン。
【請求項１２】
前記第１のサイドパネル、前記トップパネル、前記第２のサイドパネル、及び前記ボトムパネルのうちの少なくとも２つにサイド開口が設けられている、請求項１１に記載のカートン。
【請求項１３】
前記第１のサイドパネル、前記トップパネル、前記第２のサイドパネル、及び前記ボトムパネルのうちの少なくとも２つにサイド開口が設けられている、請求項１に記載のカートン。
【請求項１４】
ブランクであって、
第１の折り線に沿ってトップパネルに接続されている第１のサイドパネルと、
第２の折り線に沿って第２のサイドパネルに接続されている前記トップパネルと、
第３の折り線に沿ってボトムパネルに接続されている前記第２のサイドパネルと、
第４の折り線に沿って接着パネルに接続されている前記ボトムパネルと、
複数の開口によって離間しているハンドルパネル及び複数の接続パネルを含む前記トップパネルであって、前記複数の開口は、第１のハンドル開口と、第２のハンドル開口と、少なくとも一つの接続パネル開口とを含み、前記第１のハンドル開口及び前記第２のハンドル開口の各々は、前記ハンドルパネルに隣接して位置しており、前記少なくとも一つの接続パネル開口は、前記接続パネルの少なくとも二つに隣接して位置している、前記トップパネルと、
第１の横断方向折り線に沿って前記第１のサイドパネルに接続されている第１のサイドパネル端部フラップと、
前記第１の横断方向折り線に沿って前記トップパネルに接続されている第１のトップパネル端部フラップと、
前記第１の横断方向折り線に沿って前記第２のサイドパネルに接続されている第２のサイドパネル端部フラップと、
前記第１の横断方向折り線に沿って前記ボトムパネルに接続されている第１のボトムパネル端部フラップと、
第２の横断方向折り線に沿って、前記第１のサイドパネル、前記トップパネル、前記第２のサイドパネル、及び前記ボトムパネルのうちの少なくとも１つに接続されている少なくとも１つの端部フラップと、
前記第１のサイドパネル、前記第２のサイドパネル、前記接着パネル、及び前記第１のトップパネル端部フラップのうちの少なくとも２つにおける複数の変形線と、
を備え、
前記ブランクから形成されるカートンが、前記ハンドルパネルの持ち上げ時に少なくとも複数の前記変形線に沿って変形する、ブランク。
【請求項１５】
前記少なくとも一つの接続パネル開口は、前記第１の横断方向折り線まで延在するが前記第１の横断方向折り線を横切らない、請求項１４に記載のブランク。
【請求項１６】
前記少なくとも一つの接続パネル開口は、前記トップパネルから前記第１の横断方向折り線を横切って前記第１のトップパネル端部フラップに延在する、請求項１４に記載のブランク。
【請求項１７】
前記少なくとも一つの接続パネル開口は、前記第１の折り線まで延在するが前記第１の折り線を横切らない、請求項１４に記載のブランク。
【請求項１８】
前記少なくとも一つの接続パネル開口は、前記トップパネルから前記第１の折り線を横切って前記第１のサイドパネルに延在する、請求項１４に記載のブランク。
【請求項１９】
前記第１のサイドパネル端部フラップは、前記ブランクから形成されるカートンの第１の端部において第１の補強隅部を形成する隅部形成フラップを含む、請求項１４に記載のブランク。
【請求項２０】
前記第２のサイドパネル端部フラップは、前記ブランクから形成されるカートンの第１の端部において第２の補強隅部を形成する隅部形成フラップを含む、請求項１９に記載のブランク。
【請求項２１】
前記第１のサイドパネル、前記トップパネル、前記第２のサイドパネル、及び前記ボトムパネルのうちの少なくとも２つにサイド開口が設けられている、請求項１４に記載のブランク。
【請求項２２】
カートンを形成する方法であって、
ブランクを準備することであって、前記ブランクは、
第１の折り線に沿ってトップパネルに接続されている第１のサイドパネルと、
第２の折り線に沿って第２のサイドパネルに接続されている前記トップパネルと、
第３の折り線に沿ってボトムパネルに接続されている前記第２のサイドパネルと、
第４の折り線に沿って接着パネルに接続されている前記ボトムパネルと、
複数の開口によって離間しているハンドルパネル及び複数の接続パネルを含む前記トップパネルであって、前記複数の開口は、第１のハンドル開口と、第２のハンドル開口と、少なくとも一つの接続パネル開口とを含み、前記第１のハンドル開口及び前記第２のハンドル開口の各々は、前記ハンドルパネルに隣接して位置しており、前記少なくとも一つの接続パネル開口は、前記接続パネルの少なくとも二つに隣接して位置している、前記トップパネルと、
第１の横断方向折り線に沿って前記第１のサイドパネルに接続されている第１のサイドパネル端部フラップと、
前記第１の横断方向折り線に沿って前記トップパネルに接続されている第１のトップパネル端部フラップと、
前記第１の横断方向折り線に沿って前記第２のサイドパネルに接続されている第２のサイドパネル端部フラップと、
前記第１の横断方向折り線に沿って前記ボトムパネルに接続されている第１のボトムパネル端部フラップと、
第２の横断方向折り線に沿って、前記第１のサイドパネル、前記トップパネル、前記第２のサイドパネル、及び前記ボトムパネルのうちの少なくとも１つに接続されている少なくとも１つの端部フラップと、
前記第１のサイドパネル、前記第２のサイドパネル、前記接着パネル、及び前記第１のトップパネル端部フラップのうちの少なくとも２つにおける複数の変形線と、
を備え、
前記ブランクから形成される前記カートンが、前記ハンドルパネルの持ち上げ時に少なくとも複数の前記変形線に沿って変形する、ブランクを準備することと、
前記第１のサイドパネルを前記第１の折り線に沿って折り曲げることと、
前記第２のサイドパルを前記第２の折り線に沿って折り曲げることと、
前記ボトムパネルを前記第３の折り線に沿って折り曲げることと、
前記接着パネルを前記第４の折り線に沿って折り曲げることと、
前記接着パネルを前記第１のサイドパネルに固定することと、
前記第１のサイドパネル端部フラップ及び前記第２のサイドパネル端部フラップを前記第１の横断方向折り線に沿って折り曲げることと、
前記第１のボトムパネル端部フラップを前記第１の横断方向折り線に沿って折り曲げることと、
前記第１のトップパネル端部フラップを前記第１の横断方向折り線に沿って折り曲げることと、
前記第１のサイドパネル端部フラップ、前記第２のサイドパネル端部フラップ、前記第１のボトムパネル端部フラップ、及び前記第１のトップパネル端部フラップのうちの少なくとも１つをともに固定することと、
を備える、方法。
【請求項２３】
前記第１のサイドパネル端部フラップは、前記ブランクから形成されるカートンの第１の端部において第１の補強隅部を形成する隅部形成フラップを含み、前記第１のサイドパネル端部フラップを前記第１の横断方向折り線に沿って折り曲げることは、前記カートンの内部空間内に前記第１の補強隅部を形成するために前記隅部形成フラップを折り曲げることを含む、請求項２２に記載の方法。
【請求項２４】
前記第２のサイドパネル端部フラップは、前記ブランクから形成されるカートンの前記第１の端部において第２の補強隅部を形成する隅部形成フラップを含み、前記第２のサイドパネル端部フラップを前記第１の横断方向折り線に沿って折り曲げることは、前記カートンの内部空間内に前記第２の補強隅部を形成するために前記隅部形成フラップを折り曲げることを含む、請求項２２に記載の方法。
【請求項２５】
請求項１４に記載のブランクから形成されるカートン。
【請求項２６】
複数の容器と、請求項１４に記載の前記ブランクから形成されるカートンとを含むパッケージ。
【発明の詳細な説明】
【技術分野】
【０００１】
［関連出願の相互参照］
本願は、２００９年１０月３０日付けで出願された欧州特許出願第０９０１３６８８．８号（該出願は参照によってその全体が本明細書に援用される）の利益を主張する。
【０００２】
本開示は包括的には、製品を保持及び／又は分配するブランク、パッケージ又はカートンに関する。
【背景技術】
【０００３】
カートンは、容器、製品、果物、野菜等のような物品を保持するのに有用である。１つの場所から別の場所への物品の移送を容易にするために、カートンを積み重ねることができることも有益である。
【発明の概要】
【０００４】
トップパネル内に形成されたハンドルを備えるブランク、カートン又はパッケージが記載される。ハンドルを曲げることを可能にするように変形線をブランク又はカートンに含むことにより、ハンドル強度を増大させることができる。ブランクは、形成されたカートン又はパッケージの隅部を形成するのに用いることができる、端部フラップに取り付けられている隅部形成パネルを含むことができる。隅部は、パレット上で又は輸送中等でのカートン又はパッケージの積み重ねを可能にする補強強度を与える。カートン又はパッケージの内部への通気及び内部からの通気を可能にするために、ブランク、カートン又はパッケージの選択エリアに開口を設けることができる。カートン又はパッケージから物品を小出しするために、トップパネル内の接続パネルを取り外すことができる。
【０００５】
一態様では、カートンが提供される。カートンは、第１のサイドパネルと、第２のサイドパネルと、トップパネルと、ボトムパネルと、接着パネルと、を含む。前記トップパネルはハンドル及び複数の接続パネルを含む。複数の変形線が、前記第１のサイドパネル、前記第２のサイドパネル、及び前記接着パネルのうちの少なくとも２つに設けられる。カートンは、前記ハンドルの持ち上げ時に前記変形線の少なくとも幾つかに沿って変形する。任意で、カートンの前記トップパネルの各端部は端部フラップを含み、前記複数の変形線は、前記トップパネル端部フラップの各々における変形線を含む。前記ハンドル及び前記複数の接続パネルは通常、開口によって離間している。さらに任意で、前記第１のサイドパネル及び前記トップパネルは、第１の横断方向折り線に沿って接続されている。前記開口は、前記第１の横断方向折り線まで延在することができるが前記第１の横断方向折り線を横切らない、又は前記開口は、前記トップパネルから前記第１の横断方向折り線を横切って前記トップパネル端部フラップのうちの１つに延在することができる。
【０００６】
さらに、前記第１のサイドパネル及び前記トップパネルは、第１の折り線に沿って接続されることができ、前記開口は、前記第１の折り線まで延在するが前記第１の折り線を横切らない、又は前記開口は、前記トップパネルから前記第１の折り線を横切って前記第１のサイドパネルに延在する。
【０００７】
さらにまた、第１の端部フラップが、前記カートンの第１の端部において第１の横断方向折り線に沿って前記第１のサイドパネルに接続されることができ、前記第１の端部フラップは、前記カートンの前記第１の端部において第１の隅部を形成する隅部形成端部フラップを含むことができる。第２の端部フラップが、前記カートンの第２の端部において第２の横断方向折り線に沿って前記第１のサイドパネルに接続されることができ、前記第２の端部フラップは、前記カートンの前記第２の端部において第２の隅部を形成する隅部形成端部フラップを含むことができる。第３の端部フラップが、前記カートンの第１の端部において第１の横断方向折り線に沿って前記第２のサイドパネルに接続されることができ、前記第３の端部フラップは、前記カートンの前記第１の端部において第３の隅部を形成する隅部形成端部フラップを含むことができる。第４の端部フラップが、前記カートンの第２の端部において第２の横断方向折り線に沿って前記第２のサイドパネルに接続されることができ、前記第４の端部フラップは、前記カートンの前記第２の端部において第４の隅部を形成する隅部形成端部フラップを含むことができる。さらにまた、前記第１のサイドパネル、前記トップパネル、前記第２のサイドパネル、及び前記ボトムパネルのうちの少なくとも２つに開口を設けることができる。さらに、前記第１のサイドパネル、前記トップパネル、前記第２のサイドパネル、及び前記ボトムパネルのうちの少なくとも２つに開口を設けることができる。
【０００８】
別の態様では、ブランクであって、第１の折り線に沿ってトップパネルに接続されている第１のサイドパネルと、第２の折り線に沿って第２のサイドパネルに接続されている前記トップパネルと、第３の折り線に沿ってボトムパネルに接続されている前記第２のサイドパネルと、第４の折り線に沿って接着パネルに接続されている前記ボトムパネルと、開口によって離間しているハンドル及び複数の接続パネルを含む前記トップパネルと、第１の横断方向折り線に沿って前記第１のサイドパネルに接続されている第１の端部フラップと、前記第１の横断方向折り線に沿って前記トップパネルに接続されている第１のトップパネル端部フラップと、前記第１の横断方向折り線に沿って前記第２のサイドパネルに接続されている第２の端部フラップと、前記第１の横断方向折り線に沿って前記ボトムパネルに接続されている第１のボトムパネル端部フラップと、第２の横断方向折り線に沿って、前記第１のサイドパネル、前記トップパネル、前記第２のサイドパネル、及び前記ボトムパネルのうちの少なくとも１つに接続されている少なくとも１つの端部フラップと、前記第１のサイドパネル、前記第２のサイドパネル、前記接着パネル、及び前記第１のトップパネル端部フラップのうちの少なくとも２つにおける複数の変形線と、を備えるブランクを提供することができる。該ブランクから形成されるカートンが、前記ハンドルの持ち上げ時に少なくとも複数の前記変形線に沿って変形する。任意で、前記開口は、前記第１の横断方向折り線まで延在することができるが前記第１の横断方向折り線を横切らない、又は前記開口は、前記トップパネルから前記第１の横断方向折り線を横切って前記第１のトップパネル端部フラップ内に延在することができる。さらに任意で、前記第１の端部フラップは、前記ブランクから形成されるカートンの第１の端部において第１の隅部を形成する隅部形成フラップを含むことができる。前記第２の端部フラップは、前記ブランクから形成されるカートンの第１の端部において第２の隅部を形成する隅部形成フラップを含む。さらに、前記第１のサイドパネル、前記トップパネル、前記第２のサイドパネル、及び前記ボトムパネルのうちの少なくとも２つに開口を設けることができる。
【０００９】
さらに別の態様では、ブランクからカートンを形成する方法が、前記第１のサイドパネルを前記第１の折り線に沿って折り曲げることと、前記第２のサイドパネルを前記第２の折り線に沿って折り曲げることと、前記トップパネルを前記第３の折り線に沿って折り曲げることと、前記接着パネルを前記第４の折り線に沿って折り曲げることと、前記接着パネルを前記第１のサイドパネルに固定することと、前記第１の端部フラップ及び前記第２の端部フラップを前記第１の横断方向折り線に沿って折り曲げることと、前記第１のボトム端部フラップを前記第１の横断方向折り線に沿って折り曲げることと、前記第１のトップ端部フラップを前記第１の横断方向折り線に沿って折り曲げることと、前記第１の端部フラップ、前記第２の端部フラップ、前記第１のボトムフラップ、及び前記第１のトップ端部フラップのうちの少なくとも１つをともに固定することと、を備える。代替的には、前記第１の端部フラップは、前記ブランクから形成されるカートンの第１の端部において第１の隅部を形成する隅部形成フラップを含むことができ、前記第１の端部フラップを前記第１の横断方向折り線に沿って折り曲げることは、第１の補強隅部を形成するために前記第１の端部フラップの隅部形成フラップを折り曲げることを含むことができる。更に、前記第２の端部フラップは、前記ブランクから形成されるカートンの前記第１の端部において第２の隅部を形成する隅部形成フラップを含むことができ、前記第２の端部フラップを前記第１の横断方向折り線に沿って折り曲げることは、第２の補強隅部を形成するために前記第２の端部フラップ隅部形成フラップを折り曲げることを含むことができる。また別の態様では、本発明は本明細書において示されるか又は記載されるブランクからカートン又はパッケージを形成することを含む。
【００１０】
当業者は、添付図面を参照して実施形態の以下の詳細な説明を読めば、上述の利点及び他の利点、並びに多様な追加の実施形態の利益を理解するであろう。
【００１１】
一般的慣行に従い、以下で説明する図面の多様な特徴は、必ずしも一定の縮尺で描かれていない。図面における多様な特徴及び要素の寸法は、本開示の実施形態をより明確に示すために拡大又は縮小されている場合がある。
【図面の簡単な説明】
【００１２】
【図１】本発明の第１の実施形態によるカートンを形成するブランクを示す図である。
【図２Ａ】図１のブランクから形成された、囲われたカートンの第１の端部の形成を示す図である。
【図２Ｂ】図１のブランクから形成された、囲われたカートンの第１の端部の形成を示す図である。
【図２Ｃ】図１のブランクから形成された、囲われたカートンの第１の端部の形成を示す図である。
【図２Ｄ】図１のブランクから形成された、囲われたカートンの第１の端部の形成を示す図である。
【図３】図２Ｄのカートンの上面図である。
【図４】ハンドルによって持ち上げられている図３のカートンを示す図である。
【図５Ａ】ハンドルの操作を示す図である。
【図５Ｂ】カートンからの接続パネルの分離及び取り外しを示す図である。
【図５Ｃ】カートンからの接続パネルの分離及び取り外しを示す図である。
【図５Ｄ】接続パネルの取り外し後のハンドルの操作を示す図である。
【図５Ｅ】接続パネルの取り外し後のハンドルの操作を示す図である。
【図６】本発明の第２の実施形態によるカートンを形成するブランクを示す図である。
【図７】本発明の第３の実施形態によるカートンを形成するブランクを示す図である。
【図８Ａ】図７のブランクから形成された、補強された隅部を有するカートンを示す図である。
【図８Ｂ】図７のブランクから形成された、補強された隅部を有するカートンを示す図である。
【図９】隅部の構成を示す付記（call-out）を有する、図７のブランクから形成されたカートンを示す図である。
【図１０】本発明の第４の実施形態によるカートンを形成するブランクを示す図である。
【図１１Ａ】全体にわたる（throughout）通気を提供する開口を有するパレット上に積み重ねられたカートンを示す図である。
【図１１Ｂ】全体にわたる通気を提供する開口を有するパレット上に積み重ねられたカートンを示す図である。
【図１１Ｃ】全体にわたる通気を提供する開口を有するパレット上に積み重ねられたカートンを示す図である。
【図１２】全体にわたる通気を提供する開口を有するパレット上に積み重ねられたカートンを示す図である。
【発明を実施するための形態】
【００１３】
対応する部分は、図面を通して対応する参照符号によって示されている。
【００１４】
本開示は包括的には、食品等のような物品又は製品を保管、移送、及び／又は分配するためのブランク、カートン、パッケージ、並びに使用方法に関する。本開示はまた、本明細書において詳述されるブランクから形成されるカートン及びパッケージ内の物品又は製品を移動、搬送及び／又は分配するためのハンドル構成も詳述する。
【００１５】
本開示によるカートン及び／又はパッケージは、多くの異なる形状の製品を収納することができる。例示目的のために、また本開示の範囲をいかようにも限定することなく、以下の詳細な説明は、パッケージの実施形態内に少なくとも部分的に配置される食品を記載する。本明細書では、用語「下側」、「ボトム」、「上側」及び「トップ」は、完全に組み立てられたパッケージに関して定められる向きを示す。
【００１６】
図１は、本発明の第１の実施形態によるカートンを形成するブランク５を示す。図１は、折り線１１に沿ってトップパネル２０に接続されている第１のサイドパネル１０と、折り線２１に沿って第２のサイドパネル３０に接続されているトップパネル２０と、折り線３１に沿ってボトムパネル４０に接続されている第２のサイドパネル３０と、折り線４１に沿って接着パネル５０に接続されているボトムパネル４０と、を有するブランク５の内側３を示す。概して、パネル５０又はパネル１０は、ブランク５をスリーブ又はカートンに形成するように接着剤を受け取る。パネル１０、２０、３０及び４０はそれぞれ、折り線１１、２１、３１及び４１に対して横断する折り線に沿って取り付けられている複数の端部フラップを含む。ブランク５の第１の端部に沿って、端部フラップ１２が折り線１３に沿ってパネル１０に取り付けられており、端部フラップ２２が折り線２３に沿ってパネル２０に取り付けられており、端部フラップ３２が折り線３３に沿ってパネル３０に取り付けられており、端部フラップ４２が折り線４３に沿ってパネル４０に取り付けられている。折り線１３、２３、３３、４３の１つ又は複数は、５３で示されるような単一の折り線と置き換えることができる。ブランク５の第２の端部に沿って、端部フラップ１４が折り線１５に沿ってパネル１０に取り付けられており、端部フラップ２４が折り線２５に沿ってパネル２０に取り付けられており、端部フラップ３４が折り線３５に沿ってパネル３０に取り付けられており、端部フラップ４４が折り線４５に沿ってパネル４０に取り付けられている。折り線１５、２５、３５、４５の１つ又は複数は、５５で示されるような単一の折り線と置き換えることができる。端部フラップ１２、１４、２２、２４、３２、３４、４２、４４は概して、それぞれの折り線１３、１５、２３、２５、３３、３５、４３、４５又は５３、５５から離れて周囲８に向かう方向に延在する。端部フラップ４２及び４４は、図１において延長フラップ４６（その機能は以下で説明される）を有して示されている。
【００１７】
トップパネル２０は、接続パネル６９及び７９並びにハンドル６０のウェブ状構造を含む。接続パネル６９及び７９並びにハンドル６０は、折り線１１、２１及び２３、２５の間に延在しており、開口７０によって離間している。ハンドル６０は概して、折り線１１及び２１の間に延在しており、端部６４及び６６の間に延在しているハンドルパネル６２を含む。接続パネル６９は、端部６４においてハンドルパネル６２に接続されているパネル７１、７２、７３及び７４を含み、接続パネル７９は、端部６６においてハンドルパネル６２に接続されているパネル７５、７６、７７及び７８を含む。接続パネル６９及び７９は、ハンドル６０を曲げることを可能にするとともにハンドル６０の強度を増大させる変形線８０を含む。更に以下で詳述するように、接続パネル６９及び７９の部分が引き裂き線９０に沿ってトップパネル２０から分離可能である。引き裂き線９０は概して、折り線１１及び２３の交点並びに折り線２１及び２３の交点におけるパネル２０の隅部とハンドル端部６４との間のパネル７１、７２、７３、７４のセクションを取り外すように位置決めされる。引き裂き線９０は概して、折り線１１及び２５の交点並びに折り線２１及び２５の交点におけるパネル２０の隅部とハンドル端部６６との間のパネル７５、７６、７７、７８のセクションを取り外すように位置決めされる。
【００１８】
パネル２０に設けられたそれらに加えて、変形線８０は、第１のサイドパネル１０、第２のサイドパネル３０、端部フラップ２２、及び端部フラップ２４に設けられている。これらの変形線８０はまた、可撓性をもたらすことによってハンドル６０に強度を加える役割を果たす。図３、図４Ｄ及び図４Ｅに示されるように、第１のサイドパネル１０及び第２のサイドパネル３０に設けられた変形線８０によって、カートンは、パネル１０及び３０の、ハンドル６０に隣接したセクションにおいて内側に曲がることができるようになる。
【００１９】
開口７０が、ブランク５の幾つかのパネル及びフラップに設けられている。開口７０は、他の利点の中でも、例えば、カートンの内部の空気交換を可能にすることによって果物又は野菜等のカートン内の製品を冷却するためにカートンの内外への通気を提供する。図１に示されるように、開口７０は、パネル１０、２０、３０、４０、及び端部フラップ１２、１４、３２、３４、４２、４４に設けられている。図面に示される開口７０は、例示でしかなく、本発明から逸脱することなくこのような開口７０のサイズ、数、構成及び／又は場所を調整することによって変更することができる。例えば、図示のパネル及びフラップに付加的な開口７０を設けることもできるし、図１において開口７０を有して示されていないパネル及び／又はフラップに開口７０を設けることもできる。
【００２０】
図２Ａ〜図２Ｄは、ブランク５から形成された、囲われたカートン５００の第１の端部の形成を示す。図２Ａに示されるように、接着パネル５０を第１のサイドパネル１０に取り付けて、内部４５０を有するスリーブ４００を形成する。図２Ｂに示されるように、端部フラップ１２及び３２が、カートンの内部４５０に向かって折り曲げられる。次に、図２Ｃに示されるように、端部フラップ４２がカートン５００の内部４５０に向かって折り曲げられる。カートン５００の内部４５０内に受け入れられるようなサイズである端部フラップ４２の延長フラップ４６が、図２Ｃに示されており、端部フラップ４２を端部フラップ１２及び３２と接触するように少なくとも部分的に固定する。図２Ｄに示されるように、カートン５００の第１の端部を閉じるように端部フラップ２２が折り曲げられる。
【００２１】
図３は、図２Ｄのカートン５００の上面図を示す。図３に示されるように、製品Ｐがカートン５００内に配置されている。図４は、ハンドル６０によって持ち上げられているカートン５００を示す。図４に示されるように、ハンドル６０、並びに接続パネル６９及び７９は変形線８０に沿って変形して曲がる。
【００２２】
図５Ａ〜図５Ｅは、ハンドル６０の操作、カートン５００からの接続パネル６９及び７９の分離及び取り外し、及び接続パネル６９及び７９の取り外し後のハンドル６０の操作を示す。
【００２３】
図６は、本発明の第２の実施形態によるカートンを形成するブランク１０５を示す。図６は、折り線１１１に沿ってボトムパネル１２０に接続されている第１のサイドパネル１１０と、折り線１２１に沿って第２のサイドパネル１３０に接続されているボトムパネル１２０と、折り線１３１に沿ってトップパネル１４０に接続されている第２のサイドパネル１３０と、折り線１４１に沿って接着パネル１５０に接続されているトップパネル１４０と、を有するブランク１０５の内側１０３を示す。概して、パネル１５０又はパネル１１０は、ブランク１０５をスリーブ又はカートンに形成するように接着剤を受け取る。パネル１１０、１２０、１３０及び１４０はそれぞれ、折り線１１１、１２１、１３１及び１４１に対して横断する折り線に沿って取り付けられている複数の端部フラップを含む。ブランク１０５の第１の端部に沿って、端部フラップ１１２が折り線１１３に沿ってパネル１１０に取り付けられており、端部フラップ１２２が折り線１２３に沿ってパネル１２０に取り付けられており、端部フラップ１３２が折り線１３３に沿ってパネル１３０に取り付けられており、端部フラップ１４２が折り線１４３に沿ってパネル１４０に取り付けられている。折り線１１３、１２３、１３３、１４３の１つ又は複数は、１５３で示されるような単一の折り線と置き換えることができる。ブランク１０５の第２の端部に沿って、端部フラップ１１４が折り線１１５に沿ってパネル１１０に取り付けられており、端部フラップ１２４が折り線１２５に沿ってパネル１２０に取り付けられており、端部フラップ１３４が折り線１３５に沿ってパネル１３０に取り付けられており、端部フラップ１４４が折り線１４５に沿ってパネル１４０に取り付けられている。折り線１１５、１２５、１３５、１４５の１つ又は複数は、１５５で示されるような単一の折り線と置き換えることができる。端部フラップ１１２、１１４、１２２、１２４、１３２、１３４、１４２、１４４は概して、それぞれの折り線１１３、１１５、１２３、１２５、１３３、１３５、１４３、１４５又は１５３、１５５から離れて周囲１０８に向かう方向に延在する。パネル１１０はブランク１０５の周囲１０８に切り欠き１９２を含む。
【００２４】
トップパネル１４０は、接続パネル１６９及び１７９並びにハンドル１６０のウェブ状構造を含む。接続パネル１６９及び１７９並びにハンドル１６０は、折り線１３１、１４１及び１４３、１４５の間に延在しており、開口１７０によって離間している。ハンドル１６０は概して、折り線１３１及び１４１の間に延在しており、端部１６４及び１６６の間に延在しているハンドルパネル１６２を含む。接続パネル１６９は、端部１６４においてハンドルパネル１６２に接続されているパネル１７１、１７２、１７３及び１７４を含み、接続パネル１７９は、端部１６６においてハンドルパネル１６２に接続されているパネル１７５、１７６、１７７及び１７８を含む。接続パネル１６９及び１７９は、ハンドル１６０を曲げることを可能にするとともにハンドル１６０の強度を増大させる変形線１８０を含む。更に以下で詳述するように、接続パネル１６９及び１７９の部分が引き裂き線１９０に沿ってトップパネル１４０から分離可能である。引き裂き線１９０は概して、折り線１３１及び１４３の交点並びに折り線１４１及び１４３の交点におけるパネル１４０の隅部とハンドル端部１６４との間のパネル１７１、１７２、１７３、１７４のセクションを取り外すように位置決めされる。引き裂き線１９０は概して、折り線１３１及び１４５の交点並びに折り線１４１及び１４５の交点におけるパネル１４０の隅部とハンドル端部１６６との間のパネル１７５、１７６、１７７、１７８のセクションを取り外すように位置決めされる。
【００２５】
パネル１４０に設けられたそれらに加えて、変形線１８０は、第２のサイドパネル１３０、接着パネル１５０、端部フラップ１４２、及び端部フラップ１４４に設けられている。これらの変形線１８０はまた、可撓性をもたらすことによってハンドル１６０に強度を加える役割を果たす。第２のサイドパネル１３０及び接着パネル１５０に設けられた変形線１８０によって、カートンは、パネル１３０及び１５０の、ハンドル１６０に隣接したセクションにおいて内側に曲がることができるようになる。
【００２６】
開口１７０が、ブランク１０５の幾つかのパネル及びフラップに設けられている。開口１７０は、他の利点の中でも、例えば、カートンの内部の空気交換を可能にすることによって果物又は野菜等のカートン内の製品を冷却するためにカートンの内外への通気を提供する。図６に示されるように、開口１７０は、パネル１１０、１２０、１３０、１４０及び１５０、並びに端部フラップ１２２、１２４、１４２、１４４に設けられている。図面に示される開口１７０は、例示でしかなく、本発明から逸脱することなくこのような開口１７０のサイズ、数、構成及び／又は場所を調整することによって変更することができる。例えば、図示のパネル及びフラップに付加的な開口１７０を設けることもできるし、図６において開口１７０を有して示されていないパネル及び／又はフラップに開口１７０を設けることもできる。
【００２７】
図６のブランクは、折り線を横切って延在する開口１７０（図１のブランクにおける開口７０は、折り線に達するまで、幾つかの場合においては折り線に沿って延在するが、折り線を横切って延在することはない）を設けることを含め、幾つかの点において図１のブランクとは異なる。開口１７０は、例えば、パネル１２０から折り線１２１を横切ってパネル１３０内へと、パネル１３０から折り線１３１を横切ってパネル１４０内へと、パネル１４０から折り線１４１を横切ってパネル１５０内へと、パネル１２０から折り線１２３を横切って端部フラップ１２２内へと、パネル１２０から折り線１２５を横切って端部フラップ１２４内へと、パネル１４０から折り線１４３を横切って端部フラップ１４２内へと、及びパネル１４０から折り線１４５を横切って端部フラップ１４４内へと延在する。
【００２８】
ブランク１０５の、スリーブへの形成及びその後のカートンへの形成、ハンドル１６０の使用、並びにパネル１６９及び１７９の取り外しは、ブランク５に関して説明したものと同様である。
【００２９】
図７は、本発明の第３の実施形態によるカートンを形成するブランク２０５を示す。図７は、折り線２１１に沿ってボトムパネル２２０に接続されている第１のサイドパネル２１０と、折り線２２１に沿って第２のサイドパネル２３０に接続されているボトムパネル２２０と、折り線２３１に沿ってトップパネル２４０に接続されている第２のサイドパネル２３０と、折り線２４１に沿って接着パネル２５０に接続されているトップパネル２４０と、を有するブランク２０５の内側２０３を示す。概して、パネル２５０又はパネル２１０は、ブランク２０５をスリーブ又はカートンに形成するように接着剤を受け取る。パネル２１０、２２０、２３０及び２４０はそれぞれ、折り線２１１、２２１、２３１及び２４１に対して横断する折り線に沿って取り付けられている複数の端部フラップを含む。ブランク２０５の第１の端部に沿って、端部フラップパネル２１２が折り線２１３に沿ってパネル２１０に取り付けられており、端部フラップ２２２が折り線２２３に沿ってパネル２２０に取り付けられており、端部フラップパネル２３２が折り線２３３に沿ってパネル２３０に取り付けられており、端部フラップ２４２が折り線２４３に沿ってパネル２４０に取り付けられている。折り線２１３、２２３、２３３、２４３の１つ又は複数は、２５３で示されるような単一の折り線と置き換えることができる。ブランク２０５の第２の端部に沿って、端部フラップ２１４が折り線２１５に沿ってパネル２１０に取り付けられており、端部フラップ２２４が折り線２２５に沿ってパネル２２０に取り付けられており、端部フラップ２３４が折り線２３５に沿ってパネル２３０に取り付けられており、端部フラップ２４４が折り線２４５に沿ってパネル２４０に取り付けられている。折り線２１５、２２５、２３５、２４５の１つ又は複数は、２５５で示されるような単一の折り線と置き換えることができる。端部フラップ２１２、２１４、２２２、２２４、２３２、２３４、２４２、２４４は概して、それぞれの折り線２１３、２１５、２２３、２２５、２３３、２３５、２４３、２４５又は２５３、２５５から離れて周囲２０８に向かう方向に延在する。パネル２１０は、ブランク２０５の周囲２０８に切り欠き２９２を含む。
【００３０】
図７に示されるように、パネル２１０及び２３０の各端部に接続されている端部フラップは、補強隅部２９５（図８及び図９に示される）を形成するように折り線を中心に折り曲げることができる幾つかのパネルを含む。具体的には図７に示されるように、端部フラップパネル２１６が折り線２１７に沿って端部フラップパネル２１２に接続されており、端部フラップパネル２０２が折り線２０７に沿って端部フラップパネル２１６に接続されている。端部フラップパネル２１８が折り線２１９に沿って端部フラップパネル２１４に接続されており、端部フラップパネル２０４が折り線２０９に沿って端部フラップパネル２１８に接続されている。端部フラップパネル２３６が折り線２３７に沿って端部フラップパネル２３２に接続されており、端部フラップパネル２２６が折り線２２７に沿って端部フラップパネル２３６に接続されている。端部フラップパネル２３８が折り線２３９に沿って端部フラップパネル２３４に接続されており、端部フラップパネル２２８が折り線２２９に沿って端部フラップパネル２３８に接続されている。
【００３１】
トップパネル２４０は、接続パネル２６９及び２７９並びにハンドル２６０のウェブ状構造を含む。接続パネル２６９及び２７９並びにハンドル２６０は、折り線２３１、２４１及び２４３、２４５の間に延在しており、開口２７０によって離間している。ハンドル２６０は概して、折り線２３１及び２４１の間に延在しており、端部２６４及び２６６の間に延在しているハンドルパネル２６２を含む。接続パネル２６９は、端部２６４においてハンドルパネル２６２に接続されているパネル２７１、２７２、２７３及び２７４を含み、接続パネル２７９は、端部２６６においてハンドルパネル２６２に接続されているパネル２７５、２７６、２７７及び２７８を含む。接続パネル２６９及び２７９は、ハンドル２６０を曲げることを可能にするとともにハンドル２６０の強度を増大させる変形線２８０を含む。更に以下で詳述するように、接続パネル２６９及び２７９の部分が引き裂き線２９０に沿ってトップパネル２４０から分離可能である。引き裂き線２９０は概して、折り線２３１及び２４３の交点並びに折り線２４１及び２４３の交点におけるパネル２４０の隅部とハンドル端部２６４との間のパネル２７１、２７２、２７３、２７４のセクションを取り外すように位置決めされる。引き裂き線２９０は概して、折り線２３１及び２４５の交点並びに折り線２４１及び２４５の交点におけるパネル２４０の隅部とハンドル端部２６６との間のパネル２７５、２７６、２７７、２７８のセクションを取り外すように位置決めされる。
【００３２】
パネル２４０に設けられたそれらに加えて、変形線２８０は、第２のサイドパネル２３０、接着パネル２５０、端部フラップ２４２、及び端部フラップ２４４に設けられている。これらの変形線２８０はまた、可撓性をもたらすことによってハンドル２６０に強度を加える役割を果たす。第２のサイドパネル２３０及び接着パネル２５０に設けられた変形線２８０によって、カートンは、パネル２３０及び２５０の、ハンドル２６０に隣接したセクションにおいて内側に曲がることができるようになる。
【００３３】
開口２７０が、ブランク２０５の幾つかのパネル及びフラップに設けられている。開口２７０は、他の利点の中でも、例えば、カートンの内部の空気交換を可能にすることによって果物又は野菜等のカートン内の製品を冷却するためにカートンの内外への通気を提供する。図７に示されるように、開口２７０は、パネル２１０、２２０、２３０、２４０及び２５０、並びに端部フラップ２２２、２２４、２４２、２４４に設けられている。図面に示される開口２７０は、例示でしかなく、本発明から逸脱することなくこのような開口２７０のサイズ、数、構成及び／又は場所を調整することによって変更することができる。例えば、図示のパネル及びフラップに付加的な開口２７０を設けることもできるし、図７において開口２７０を有して示されていないパネル及び／又はフラップに開口２７０を設けることもできる。
【００３４】
図７のブランクは、折り線を横切って延在する開口２７０（図１のブランクにおける開口７０は、折り線に達するまで、幾つかの場合においては折り線に沿って延在するが、折り線を横切って延在することはない）を設けることを含め、幾つかの点において図６に類似している（かつ、図１のブランクとは異なる）。開口２７０は、例えば、パネル２２０から折り線２２１を横切ってパネル２３０内へと、パネル２３０から折り線２３１を横切ってパネル２４０内へと、パネル２４０から折り線２４１を横切ってパネル２５０内へと、パネル２２０から折り線２２３を横切って端部フラップ２２２内へと、パネル２２０から折り線２２５を横切って端部フラップ２２４内へと、パネル２４０から折り線２４３を横切って端部フラップ２４２内へと、及びパネル２４０から折り線２４５を横切って端部フラップ２４４内へと延在する。
【００３５】
ブランク２０５の、スリーブへの形成及びその後のカートンへの形成、ハンドル２６０の使用、並びにパネル２６９及び２７９の取り外しは、ブランク５に関して説明したものと同様である。
【００３６】
図８Ａ及び図８Ｂ及び図９は、図７のブランクから形成された、補強された隅部２９５を有するカートン６００を示す。ブランク２０５をカートン６００に形成するには、図２Ａ〜図２Ｄに示されるスリーブと同様のスリーブが概して形成される。図２Ｄに示されるカートンと、図８Ａ及び図８Ｂに示されるカートンとの形成上の１つの違いは、端部フラップパネル２０２、２１６、２０４、２１８、２２６、２３６、及び２３４、２３８が、それぞれの折り線を中心に折り曲げられて（また、必ずではないが、概してそれぞれの端部フラップ２２２又は２２４に接着されて）カートン６００の内部に補強隅部を形成することを含む。図９は、囲われたカートン６００のトップパネル２４０の下に配置されている補強された隅部２９５を示す。隅部２９５の構成は、図９の付記において拡大して示される。補強された隅部は、カートン、パッケージ又はパックに強度を与え、他の利点の中でも、カートン又はパッケージが、該カートン又はパッケージ内の農産物（the produce）又は他の物品に損傷を与えることなく、図１１及び図１２に示されるようにパレットの上等に積み重ねられることができるようにする。これらの強度を高める特徴部はまた、開口２７０の空気交換利点に影響を与えることなくそのような機能性を提供する。
【００３７】
図１０は、本発明の第４の実施形態によるカートンを形成するブランク３０５を示す。図１０は、折り線３１１に沿ってボトムパネル３２０に接続されている第１のサイドパネル３１０と、折り線３２１に沿って第２のサイドパネル３３０に接続されているボトムパネル３２０と、折り線３３１に沿ってトップパネル３４０に接続されている第２のサイドパネル３３０と、折り線３４１に沿って接着パネル３５０に接続されているトップパネル３４０と、を有するブランク３０５の内側３０３を示す。概して、パネル３５０又はパネル３１０は、ブランク３０５をスリーブ又はカートンに形成するように接着剤を受け取る。パネル３１０、３２０、３３０及び３４０はそれぞれ、折り線３１１、３２１、３３１及び３４１に対して横断する折り線に沿って取り付けられている複数の端部フラップを含む。ブランク３０５の第１の端部に沿って、端部フラップパネル３１２が折り線３１３に沿ってパネル３１０に取り付けられており、端部フラップ３２２が折り線３２３に沿ってパネル３２０に取り付けられており、端部フラップパネル３３２が折り線３３３に沿ってパネル３３０に取り付けられており、端部フラップ３４２が折り線３４３に沿ってパネル３４０に取り付けられている。折り線３１３、３２３、３３３、３４３の１つ又は複数は、３５３で示されるような単一の折り線と置き換えることができる。ブランク３０５の第２の端部に沿って、端部フラップ３１４が折り線３１５に沿ってパネル３１０に取り付けられており、端部フラップ３２４が折り線３２５に沿ってパネル３２０に取り付けられており、端部フラップ３３４が折り線３３５に沿ってパネル３３０に取り付けられており、端部フラップ３４４が折り線３４５に沿ってパネル３４０に取り付けられている。折り線３１５、３２５、３３５、３４５の１つ又は複数は、３５５で示されるような単一の折り線と置き換えることができる。端部フラップ３１２、３１４、３２２、３２４、３３２、３３４、３４２、３４４は概して、それぞれの折り線３１３、３１５、３２３、３２５、３３３、３３５、３４３、３４５又は３５３、３５５から離れて周囲３０８に向かう方向に延在する。パネル３１０は、ブランク３０５の周囲３０８に切り欠き３９２を含む。
【００３８】
図１０に示されるように、パネル３１０及び３３０の各端部に接続されている端部フラップは、補強隅部３９５を形成するように折り線を中心に折り曲げることができる幾つかのパネルを含む。具体的には図１０に示されるように、端部フラップパネル３１６が折り線３１７に沿って端部フラップパネル３１２に接続されており、端部フラップパネル３０２が折り線３０７に沿って端部フラップパネル３１６に接続されており、端部フラップパネル３０６が折り線３２７に沿って端部フラップパネル３０２に接続されている。端部フラップパネル３１８が折り線３１９に沿って端部フラップパネル３１４に接続されており、端部フラップパネル３０４が折り線３０９に沿って端部フラップパネル３１８に接続されており、端部フラップパネル３０８が折り線３２９に沿って端部フラップパネル３０４に接続されている。端部フラップパネル３３６が折り線３３７に沿って端部フラップパネル３３２に接続されており、端部フラップパネル３２６が折り線３４７に沿って端部フラップパネル３３６に接続されており、端部フラップパネル３４６が折り線３５７に沿って端部フラップパネル３２６に接続されている。端部フラップパネル３３８が折り線３３９に沿って端部フラップパネル３３４に接続されており、端部フラップパネル３２８が折り線３４９に沿って端部フラップパネル３３８に接続されており、端部フラップパネル３４８が折り線３５９に沿って端部フラップパネル３２８に接続されている。
【００３９】
トップパネル３４０は、接続パネル３６９及び３７９並びにハンドル３６０のウェブ状構造を含む。接続パネル３６９及び３７９並びにハンドル３６０は、折り線３３１、３４１及び３４３、３４５の間に延在しており、開口３７０によって離間している。ハンドル３６０は概して、折り線３３１及び３４１の間に延在しており、端部３６４及び３６６の間に延在しているハンドルパネル３６２を含む。接続パネル３６９は、端部３６４においてハンドルパネル３６２に接続されているパネル３７１、３７２、３７３及び３７４を含み、接続パネル３７９は、端部３６６においてハンドルパネル３６２に接続されているパネル３７５、３７６、３７７及び３７８を含む。接続パネル３６９及び３７９は、ハンドル３６０を曲げることを可能にするとともにハンドル３６０の強度を増大させる変形線３８０を含む。更に以下で詳述するように、接続パネル３６９及び３７９の部分が引き裂き線３９０に沿ってトップパネル３４０から分離可能である。引き裂き線３９０は概して、折り線３３１及び３４３の交点並びに折り線３４１及び３４３の交点におけるパネル３４０の隅部とハンドル端部３６４との間のパネル３７１、３７２、３７３、３７４のセクションを取り外すように位置決めされる。引き裂き線３９０は概して、折り線３３１及び３４５の交点並びに折り線３４１及び３４５の交点におけるパネル３４０の隅部とハンドル端部３６６との間のパネル３７５、３７６、３７７、３７８のセクションを取り外すように位置決めされる。
【００４０】
パネル３４０に設けられたそれらに加えて、変形線３８０は、第２のサイドパネル３３０、接着パネル３５０、端部フラップ３４２、及び端部フラップ３４４に設けられている。これらの変形線３８０はまた、可撓性をもたらすことによってハンドル３６０に強度を加える役割を果たす。第２のサイドパネル３３０及び接着パネル３５０に設けられた変形線３８０によって、カートンは、パネル３３０及び３５０の、ハンドル３６０に隣接したセクションにおいて内側に曲がることができるようになる。
【００４１】
開口３７０が、ブランク３０５の幾つかのパネル及びフラップに設けられている。開口３７０は、他の利点の中でも、例えば、カートンの内部の空気交換を可能にすることによって果物又は野菜等のカートン内の製品を冷却するためにカートンの内外への通気を提供する。図７に示されるように、開口３７０は、パネル３１０、３２０、３３０、３４０及び３５０、並びに端部フラップ３２２、３２４、３４２、３４４に設けられている。図面に示される開口３７０は、例示でしかなく、本発明から逸脱することなくこのような開口３７０のサイズ、数、構成及び／又は場所を調整することによって変更することができる。例えば、図示のパネル及びフラップに付加的な開口３７０を設けることもできるし、図７において開口３７０を有して示されていないパネル及び／又はフラップに開口３７０を設けることもできる。
【００４２】
図１０のブランクは、折り線を横切って延在する開口３７０を設けることを含め、幾つかの点において図６及び図７と同様である（かつ、図１のブランクとは異なる）。開口３７０は、例えば、パネル３２０から折り線３２１を横切ってパネル３３０内へと、パネル３３０から折り線３３１を横切ってパネル３４０内へと、パネル３４０から折り線３４１を横切ってパネル３５０内へと、パネル３２０から折り線３２３を横切って端部フラップ３２２内へと、パネル３２０から折り線３２５を横切って端部フラップ３２４内へと、パネル３４０から折り線３４３を横切って端部フラップ３４２内へと、パネル３４０から折り線３４５を横切って端部フラップ３４４内へと延在する。
【００４３】
ブランク３０５の、スリーブへの形成及びその後のカートンへの形成、ハンドル３６０の使用、並びにパネル３６９及び３７９の取り外しは、ブランク５に関して説明したものと同様である。
【００４４】
ブランク３０５をカートンに形成するには、図２Ａ〜図２Ｄに示されるスリーブと同様のスリーブが概して形成されて、図８及び図９と同様のカートンを形成する。図２Ｄに示されるカートンと、図８に示されるカートンとの形成上の１つの違いは、端部フラップパネル３０２、３０６、３１６、及び３０４、３０８、３１８、及び３２６、３３６、３４６、及び３２８、３３８、３４８が、それぞれの折り線を中心に折り曲げられて（また、必ずではないが、概してそれぞれの端部フラップ３２２又は３２４に接着されて）カートンの内部に補強隅部を形成することを含む。補強された隅部は、カートン、パッケージ又はパックに強度を与え、他の利点の中でも、カートン又はパッケージが、該カートン又はパッケージ内の農産物又は他の物品に損傷を与えることなく、図１１及び図１２に示されるようにパレットの上等に積み重ねられることができるようにする。これらの強度を高める特徴部はまた、開口３７０の空気交換利点に影響を与えることなくそのような機能性を提供する。
【００４５】
図１１Ａ〜図１１Ｃ、及び図１２は、全体にわたる通気を提供する開口を有するパレット上に積み重ねられたカートンを示す。図１１Ａ〜図１１Ｃは、循環矢印及びカートン又はパレットの様々な構成を示す。図１２は、複数のカートン６００のパレット又は移送機構の上面図を示す。
【００４６】
代替的に、本明細書において詳述されるブランク、カートン又はパッケージは、本明細書において図示又は説明される特徴部を１つ含めばよい。例えば、トップパネル内にハンドルを設ける代わりに、ブランク、カートン又はパッケージは隅部特徴部のみを含むこともできるし、１つ又は複数の隅部（図示の全部で４つの隅部より少ない）のみに隅部特徴部を含むこともできる。さらに、果物又は野菜以外のアイテムを図示のカートン又はパッケージ内で移送又は保管することができる。
【００４７】
本開示によるブランクは、例えばコーティングされた板紙及び類似した材料から形成することができる。例えば、ブランクの内面及び／又は外面は、クレーコーティングでコーティングすることができる。クレーコーティングの上には、その後、商品、広告、値段コード、及び他の情報又は画像を印刷することが可能である。ブランクは、その後、ワニスでコーティングして、ブランク上に印刷されたあらゆる情報を保護することが可能である。ブランクにはまた、例えば、ブランクの片面又は両面に防湿層をコーティングすることができる。上述の実施形態によれば、ブランクは、通常の紙よりも重く硬質であるような厚さ（caliper）の板紙で構成することができる。ブランクは、厚紙等の他の材料、硬化紙、又はカートンが少なくとも概ね本明細書において説明したように機能できるようにするのに適した特性を有する任意の他の材料で構成することもできる。ブランクは、選択されたパネル又はパネルセクションに１つ又は複数のシート状材料を積層又はコーティングすることもできる。
【００４８】
本開示の上述の実施形態によれば、折り線は、それに沿った折り曲げを容易にする、必ずしも直線状である必要はないが実質的に線状の任意の弱化形態とすることができる。本開示の範囲を狭めるためではないが、より詳細には、折り線は、所望の脆弱線に沿って材料に圧潰部分を作る鈍いスコアリングナイフ等で形成される線等のスコア線、所望の脆弱線に沿って材料内に部分的に延びる切れ目、及び／若しくは所望の脆弱線に沿って材料内に部分的に延びる一連の切れ目及び／若しくは材料を完全に貫通する一連の切れ目、並びにこれらの構成の種々の組み合わせを含む。
【００４９】
一例として、引き裂き線が、所望の脆弱線に沿って材料内に部分的に延びるスリット、並びに／又は所望の脆弱線に沿って材料内に部分的に延びる一連の離間したスリット及び／若しくは材料を完全に貫通する一連の離間したスリット、又はこれらの構成の種々の組み合わせを含み得る。より具体的な例として、１つのタイプの引き裂き線は、引き裂き線を挟んで材料を通常は一時的に接続するために刻み目（例えば、ブリッジにやや似た材料の小片）が隣接するスリット間に画成されるように隣接するスリットをわずかに離間させた、材料を完全に貫通する一連の離間したスリットの形態である。刻み目は、引き裂き時に引き裂き線に沿って破断される。刻み目は通常、引き裂き線において比較的わずかな割合を占めるものであり、代替的に、引き裂き線が連続した切り込み線であるように刻み目を引き裂き線から省く、すなわち引き裂き線上で破っておく（omitted from or torn in a tear line）ことができる。すなわち、引き裂き線のそれぞれを連続したスリット等で置き換えることは、本開示の範囲内にある。例えば、本開示から逸脱することなく、切れ目線は、連続したスリットであってもよく、又はスリットよりも広いものであってもよい。
【００５０】
上記の実施形態は、カートンに付随したライナー、及び／又は組立て中に糊によって一緒に接着される１つ若しくは複数のカートンパネルを有するものとして説明されている場合がある。「糊」という用語は、カートンパネル又はフラップを所定位置に固定するのに一般的に用いられるあらゆる種類の接着剤を包含することが意図される。
【００５１】
本開示の上述の説明は、多様な例示的な実施形態を例示及び説明するものである。特許請求の範囲の趣旨及び範囲から逸脱することなく、多様な追加、変更、変形等がこれらの例示的な実施形態に対してなされることができる。上記の説明に含まれるか又は添付図面に示されている全ての事項は、例示目的であって限定的な意味ではないと解釈すべきであることが意図される。さらに、本開示は、本開示の選択された実施形態のみを示し、説明しているが、本開示は、多様な他の組み合わせ、変更、及び状況で用いることができ、本明細書で述べられているような発明概念の範囲内で変形又は変更を行うことができ、上記の教示に相応し、及び／又は関連技術分野の技術若しくは知識内にある。さらに、各実施形態の特定の構成及び特徴を、選択的に置き換えて、本開示の他の説明された実施形態及び説明されていない実施形態に適用することができる。
【図１】
0005559342.tif 000002
【図２Ａ】
0005559342.tif 000003
【図２Ｂ】
0005559342.tif 000004
【図２Ｃ】
0005559342.tif 000005
【図２Ｄ】
0005559342.tif 000006
【図３】
0005559342.tif 000007
【図４】
0005559342.tif 000008
【図５Ａ】
0005559342.tif 000009
【図５Ｂ】
0005559342.tif 000010
【図５Ｃ】
0005559342.tif 000011
【図５Ｄ】
0005559342.tif 000012
【図５Ｅ】
0005559342.tif 000013
【図６】
0005559342.tif 000014
【図７】
0005559342.tif 000015
【図８Ａ】
0005559342.tif 000016
【図８Ｂ】
0005559342.tif 000017
【図９】
0005559342.tif 000018
【図１０】
0005559342.tif 000019
【図１１Ａ】
0005559342.tif 000020
【図１１Ｂ】
0005559342.tif 000021
【図１１Ｃ】
0005559342.tif 000022
【図１２】
0005559342.tif 000023